(57)【要約】【課題】容易にルーバーに装飾性を持たせることができると共に、そのルーバーに施した装飾を変更することができる縦型ブラインドを提供する。【解決手段】前面カバー部１６と後面カバー部１８とを有する化粧カバー１４を備え、前面カバー部１６と後面カバー部１８との間にルーバー１２を挿通させ、前面カバー部１６と後面カバー部１８とでルーバー１２を挟持することにより化粧カバー１４がルーバー１２の任意の高さ位置に着脱自在に固定される。【選択図】図６
2010261195.tif 000002
【特許請求の範囲】
【請求項１】
ヘッドレール（１０）内を移動可能な複数のキャリア（１１）の各々からルーバー（１２）を吊下した縦型ブラインドにおいて、
前面カバー部（１６）と後面カバー部（１８）とを有する化粧カバー（１４）を備え、前面カバー部と後面カバー部との間にルーバーを挿通させ、前面カバー部と後面カバー部とでルーバーを挟持することにより化粧カバーがルーバーの任意の高さ位置に着脱自在に固定可能であることを特徴とする縦型ブラインド。
【請求項２】
前面カバー部（１６）と後面カバー部（１８）とは、互いの一つの辺（１６ａ、１８ａ）同士が屈曲可能な連結部（２０、２２）によって連結され、当該連結部を中心として前記一つの辺と対向する他の辺（１６ｂ、１８ｂ）が結合及び離隔するように互いに揺動可能であり、前記他の辺同士を互いに結合することにより化粧カバーがルーバーに固定可能であることを特徴とする請求項１記載の縦型ブラインド。
【請求項３】
前面カバー部（１６）と後面カバー部（１８）の互いの前記一つの辺（１６ａ、１８ａ）同士の間に隙間（２４）が形成され、該隙間にルーバーを挿通させることを特徴とする請求項２記載の縦型ブラインド。
【請求項４】
前面カバー部（１６）と後面カバー部（１８）のルーバー（１２）を挟持する部分にルーバー（１２）からの滑り落ちを防止する滑り止め手段（２６、２８）を設けることを特徴とする請求項１乃至３のいずれか１項に記載の縦型ブラインド。
【請求項５】
前面カバー部（１６）及び／又は後面カバー部（１８）にはルーバー（１２）の色柄とは異なる装飾が施されることを特徴とする請求項１乃至４のいずれか１項に記載の縦型ブラインド。
【請求項６】
前面カバー部（１６）及び／又は後面カバー部（１８）は透過性のあるケース（１６ｃ、１８ｃ）であり、該ケース（１６ｃ、１８ｃ）内に写真や絵画等の鑑賞用物品（４０）が収納可能であることを特徴とする請求項１乃至５のいずれか１項に記載の縦型ブラインド。
【発明の詳細な説明】
【技術分野】
【０００１】
本発明は、ルーバーに装飾性を持たせることができる縦型ブラインドに関する。
【背景技術】
【０００２】
従来、この種の縦型ブラインドとしては、特許文献１に記載された装飾用ブラインドが知られている。この装飾用ブラインドでは、素材シートの一面に書画を表した装飾シートを、縦に短冊状に切断して成るスラットを備え、全閉状態のスラット面に書画が現れるようにしている。これにより、ブラインドに装飾性を持たせることができ、さらに全閉時におけるスラットの回転方向を変えることにより、異なる書画をスラット面に表すことも可能となる。
【先行技術文献】
【特許文献】
【０００３】
【特許文献１】実開平５−３０３９６号公報
【発明の概要】
【発明が解決しようとする課題】
【０００４】
しかしながら、上記特許文献１に記載された縦型ブラインドでは、予め決められた書画を表した装飾シートを切断してスラットを構成するため、書画を変更するには、スラット自体を交換しなければならないという問題がある。
【０００５】
本発明はかかる課題に鑑みなされたもので、容易にルーバーに装飾性を持たせることができると共に、そのルーバーに施した装飾を変更することができる縦型ブラインドを提供することをその目的とする。
【課題を解決するための手段】
【０００６】
前述した目的を達成するために、請求項１記載の発明は、ヘッドレール内を移動可能な複数のキャリアの各々からルーバーを吊下した縦型ブラインドにおいて、
前面カバー部と後面カバー部とを有する化粧カバーを備え、前面カバー部と後面カバー部との間にルーバーを挿通させ、前面カバー部と後面カバー部とでルーバーを挟持することにより化粧カバーがルーバーの任意の高さ位置に着脱自在に固定可能であることを特徴とする。
【０００７】
請求項２記載の発明は、請求項１記載の前面カバー部と後面カバー部の互いの一つの辺同士が屈曲可能な連結部によって連結され、当該連結部を中心として前記一つの辺と対向する他の辺が結合及び離隔するように互いに揺動可能であり、前記他の辺同士を互いに結合することにより化粧カバーがルーバーに固定可能であることを特徴とする。
【０００８】
請求項３記載の発明は、請求項２記載の前面カバー部と後面カバー部の互いの前記一つの辺同士の間に隙間が形成され、該隙間にルーバーを挿通させることを特徴とする。
【０００９】
請求項４記載の発明は、請求項１乃至３のいずれか１項に記載の前面カバー部と後面カバー部のルーバーを挟持する部分にルーバーからの滑り落ちを防止する滑り止め手段を設けることを特徴とする。
【００１０】
請求項５記載の発明は、請求項１乃至４のいずれか１項に記載の前面カバー部及び／又は後面カバー部にルーバーの色柄とは異なる装飾が施されることを特徴とする。
【００１１】
請求項６記載の発明は、請求項１乃至５のいずれか１項に記載の前面カバー部及び／又は後面カバー部が透過性のあるケースであり、該ケース内に写真や絵画等の鑑賞用物品が収納可能であることを特徴とする。
【発明の効果】
【００１２】
本発明によれば、ルーバーの任意の高さ位置に化粧カバーを固定することにより、ルーバーにアクセントを持たせることができ、ルーバーに装飾性を持たせることができる。
【００１３】
化粧カバー自体に装飾を施したり、化粧カバー内に写真や絵画等の鑑賞用物品を挿入したりすることにより、ルーバー自体を取り換えることなくルーバーに施した装飾を容易に変更することができ、ルーバー全体、すなわち縦型ブラインド全体の意匠の変更を容易に行うことができる。
【００１４】
また、化粧カバーはルーバーに対して着脱自在であるため、化粧カバーを交換したり、位置を変更したりすることが容易に行える。
【００１５】
また、化粧カバー自体や化粧カバー内に挿入する鑑賞用部品に施される装飾の設定や、化粧カバーを固定するルーバーの数や配設位置、取付高さ位置の設定により、例えば、縦型ブラインド全体で芸術作品が並べられたギャラリーの雰囲気を演出したりするなど、縦型ブラインドの雰囲気を任意に演出することができる。
【図面の簡単な説明】
【００１６】
【図１】本発明の実施形態に係る縦型ブラインドを表す斜視図である。
【図２】図１に示す縦型ブラインドのルーバーが開いた状態を表す斜視図である。
【図３】開いた状態の化粧カバーの内側を表す斜視図である。
【図４】化粧カバーに鑑賞用物品を挿入する状態を表す斜視図である。
【図５】化粧カバーのルーバーへの取付け作業を表す斜視図である。
【図６】化粧カバーがルーバーに固定された状態を表す正面図である。
【図７】化粧カバーがルーバーに固定された状態を表す断面図である。
【図８】化粧カバーの他の例を表す斜視図である。
【発明を実施するための形態】
【００１７】
以下、図面を用いて本発明の実施形態を説明する。
図１及び図２は本発明の実施形態に係る縦型ブラインドの全体斜視図である。
【００１８】
この縦型ブラインドは、窓枠等に固定されるヘッドレール１０を有し、そのヘッドレール１０内には複数のキャリア１１が移動可能に配設されており、各キャリア１１からルーバー１２が吊下げられている。
【００１９】
ヘッドレール１０内には、公知のキャリア移動機構とルーバー回転機構が配設されている。これらのキャリア移動機構とルーバー回転機構については任意の構成が採用可能である。
【００２０】
キャリア移動機構によって、キャリア１１がヘッドレール１０内を移動可能となっており、ヘッドレール１０の一端部にあるコントロールユニット１０ｃから一部が導出された開閉コード３０を一方に引くと、該キャリア移動機構を介してルーバー１２がヘッドレール１０に沿って展開され、開閉コード３０を他方に引くと、ヘッドレール１０の一端部に畳み込まれるようになっている。
【００２１】
また、ルーバー回転機構によって、ルーバー１２はキャリア１１に対して、その吊り下げ部分を中心に垂直軸の周りを回転可能となっており、コントロールユニット１０ｃから垂下される操作ロッド３４を回転させることにより、その回転方向に応じて、ルーバー１２が正逆回転するようになっている。
【００２２】
ここで、ルーバー１２には、装飾性を持たせるための化粧カバー１４が設けられている。図示の例では、化粧カバー１４は、１つ置きのルーバー１２に設けられている。
【００２３】
図３に示すように、化粧カバー１４は、前面カバー部１６と後面カバー部１８とから成る。前面カバー部１６と後面カバー部１８とは、互いの一方の辺１６ａ及び１８ａの両端部が屈曲可能な連結部としてのヒンジ部２０及び２２によって連結されており、当該ヒンジ部２０及び２２を中心として一方の辺１６ａ、１８ａに対向する他方の辺１６ｂ及び１８ｂが結合及び離隔するように互いに揺動可能である。前面カバー部１６の他方の辺１６ｂの両端部には、係合凸部１６ｄがそれぞれ形成されており、後面カバー部１８の他方の辺１８ｂの両端部には、係合凸部１６ｄが挿入されて係合可能となった係合孔部１８ｄがそれぞれ形成されている。両カバー部１６及び１８の一方の辺１６ａ及び１８ａの間にはルーバー１２が挿通する隙間２４が設けられており、他方の辺１６ｂ及び１８ｂには、摩擦係合によりルーバー１２からの滑り落ちを防止するための横断面形状が半月状のラバー（滑り止め手段）２６及び２８がそれぞれ設けられている。前面カバー部１６及び／又は後面カバー部１８は、透過性のあるケース１６ｃ及び１８ｃとして構成されており、図４に示すように、ケース１６ｃ及び１８ｃ内に写真や絵画等の鑑賞用物品４０が収納される。
【００２４】
次に、化粧カバー１４のルーバー１２への取付け手順について説明する。
まず、図３に示すように化粧カバー１４を開き、図４に示すように、前面カバー部１６及び／又は後面カバー部１８の他方の辺１６ｂ及び／又は１８ｂからケース１６ｃ及び／又は１８ｃ内に写真や絵画等の鑑賞用物品４０を収納する。鑑賞用物品４０は、両カバー部１６及び１８に収納してもよいし、どちらか一方にだけ収納してもよい。
【００２５】
次に、図５に示すように、化粧カバー１４の隙間２４にルーバー１２を端部から挿通して、後面カバー部１８にルーバー１２を当接させつつ、化粧カバー１４を開いたままの状態で、図中矢印ａに示すように、化粧カバー１４をルーバー１２の上下方向に移動させて取付け高さを調整する。取付け高さが決定したら、図中矢印ｂに示す方向に前面カバー部１６を揺動させて、前面カバー部１６の係合凸部１６ｄと後面カバー部１８の係合孔部１８ｄとをそれぞれ係合させることにより、前面カバー部１６と後面カバー部１８とを一体化して、図６に示すように化粧カバー１４をルーバー１２に固定する。この状態において、図７に示すように、前面カバー部１６のラバー２６と後面カバー部１８のラバー２８によりルーバー１２を挟み付けることにより、各ラバー２６及び２８とルーバー１２とが摩擦係合するため、化粧カバー１４はルーバー１２から滑り落ちることなく固定された状態が維持される。また、ラバー２６及び２８は半月状の円弧の部分がルーバー１２に当接するため、ルーバー１２に損傷を与えることなく、挟持することができる。
【００２６】
こうして、化粧カバー１４に収納された鑑賞用物品４０によりルーバー１２の一部が覆われるため、ルーバー１２にアクセントを持たせることができて、ルーバー１２に装飾性を持たせることができ、ルーバー１２全体、すなわち、縦型ブラインド全体の意匠を変更することができる。
【００２７】
ルーバー１２に対する化粧カバー１４の固定を解除するには、前面カバー部１６又は後面カバー部１８を図５中矢印ｂとは反対方向に揺動させるように引っ張る。これにより、係合凸部１６ｄと係合孔部１８ｄとの係合が外れるため、ルーバー１２に対する化粧カバー１４の固定が解除される。さらに、化粧カバー１４を図５に示される状態まで開き、ルーバー１２に対する化粧カバー１４の取付け高さを変更したり、ルーバー１２から化粧カバー１４を取外したり、化粧カバー１４を交換したりすることができる。
【００２８】
このように、化粧カバー１４はルーバー１２に対して着脱自在であり、化粧カバー１４を開いてこれに収納する鑑賞用物品４０を取換えたり、ルーバー１２に対する取付位置を変更したりすることが自在にできる。
【００２９】
また、化粧カバー１４に収納する観賞用物品４０として、好みの写真やイラスト、ポストカードなどを挿入することにより、美術館のギャラリーのように演出して使用することもできる。
【００３０】
尚、以上の実施形態においては、化粧カバー１４の前面カバー部１６及び／又は後面カバー部１８を透過性のあるケース１６ｃ及び／又は１８ｃとしたが、これに限定されるものではなく、前面カバー部１６及び／又は後面カバー部１８自体に色彩、模様等（色柄という）がプリントされていたり、貼付されていたりするなど、装飾が施されたものとしてもよい。
【００３１】
また、化粧カバー１４に挿入される鑑賞用物品４０や、化粧カバー１４自体に施される装飾は、ルーバー１２とは異なる色柄となるようにするのが好ましく、このようにすることにより、化粧カバー１４がルーバー１２に対するアクセントとなる。
【００３２】
また、以上の実施形態では、一方の辺１６ａ、１８ａを化粧カバーの下端に、他方の辺１６ｂ、１８ｂを化粧カバーの上端に形成したが、図８に示すように、一方の辺１６ａ、１８ａを化粧カバーの左右いずれかの一端に、他方の辺１６ｂ、１８ｂを化粧カバーの左右いずれかの他端に形成しても良く、この場合には、一方の辺１６ａ、１８ａと他方の辺１６ｂ、１８ｂの上端部とを結ぶ辺１６ｅ、１８ｅ及び一方の辺１６ａ、１８ａと他方の辺１６ｂ、１８ｂの下端部１６ｆ、１８ｆとを結ぶ辺との間にルーバー１２を挿通させて挟持するように構成することができ、ルーバー１２への着脱をより容易に行うことができる。
【００３３】
また、化粧カバー１４は、以上の実施形態のように、ルーバー１２の面の一部を覆うものに限定されるものではなく、ルーバー１２全体を覆うように設けられるものとしてもよい。
【００３４】
さらに、化粧カバー１４は、１つ置きのルーバー１２に設けることに限定されるものではなく、全てのルーバー１２に設けたり、ルーバー１２全体の内の任意のルーバーに設けたりするなど、任意に構成することができる。また、取付高さ位置も各ルーバー１２毎に任意の位置に設定することができる。
【００３５】
また、化粧カバー１４には、これの一方のカバー部（好ましくは、窓と対面する側のカバー部）に太陽電池パネルを装備し、カバー部の両方又はどちらか一方にＬＥＤを取り付けることにより、夜間にＬＥＤを発光させてイルミネーションとして活用することもできる。
【符号の説明】
【００３６】
１０  ヘッドレール
１１  キャリア
１２  ルーバー
１４  化粧カバー
１６  前面カバー部
１６ａ、１８ａ  一方の辺（一つの辺）
１６ｂ、１８ｂ  他方の辺（他の辺）
１６ｃ、１８ｃ  ケース
１８  後面カバー部
２０、２２  ヒンジ部（連結部）
２４  隙間
２６、２８  ラバー（滑り止め手段）
４０  鑑賞用物品
【図１】
2010261195.tif 000003
【図２】
2010261195.tif 000004
【図３】
2010261195.tif 000005
【図４】
2010261195.tif 000006
【図５】
2010261195.tif 000007
【図６】
2010261195.tif 000008
【図７】
2010261195.tif 000009
【図８】
2010261195.tif 000010